(57)【要約】【課題】表示装置間で、ネットワークを介した通信を利用して、時刻を同期させた表示を行うことができる時刻同期システムを提供する。【解決手段】テレビ１０ａのイベント発生伝達部１７ａは、イベント発生第１時刻ＩＶｔ１を標準時の時刻に補正したイベント発生標準時刻ＩＶｔｓのデータを含むイベント発生報知データＩＶｉｎｆａを、ネットワーク６０を介して携帯端末３０ａに送信する。携帯端末３０ａは、イベント発生報知データＩＶｉｎｄｆａから認識したイベント発生標準時刻ＩＶｔｓをイベント発生第２時刻ＩＶｔ２に補正し、第２表示制御部３６は、イベント発生第２時刻ＩＶｔ２に応じた第２ディスプレイ３７への表示を行う。【選択図】  図２
2014236501.tif 000002
【特許請求の範囲】
【請求項１】
第１表示装置と第２表示装置との間で、時刻を同期させた表示を行う時刻同期システムであって、
前記第１表示装置は、
第１表示部と、
第１計時部と、
ネットワークを介して通信を行う第１ネットワーク通信部と、
前記第１表示部の表示を制御する第１表示制御部と、
前記第１ネットワーク通信部により、前記ネットワークを介して共通計時部にアクセスして、該共通計時部の計時時刻のデータを取得する第１共通時刻取得処理を実行する第１共通時刻取得部と、
前記第１共通時刻取得処理において、前記第１共通時刻取得部が、前記共通計時部に対して、前記共通計時部の計時時刻データを要求する第１時刻要求データを送信した時点における前記第１計時部の計時時刻である第１要求送信時刻から、前記第１共通時刻取得部が、該第１時刻要求データの送信に応じて前記共通計時部から送信された第１計時時刻データを受信した時点における前記第１計時部の計時時刻である第１応答受信時刻までの間の中間時刻と、該第１計時時刻データが示す時刻との時間差に基づいて、前記第１計時部の計時時刻を補正して前記共通計時部の計時時刻に変換するための第１補正値を算出する第１補正値算出部と、
所定のイベントが前記第１表示部に表示される前記第１計時部の計時時刻を、イベント発生第１時刻として認識するイベント発生第１時刻認識部と、
前記イベント発生第１時刻を、前記第１補正値を用いて前記共通計時部の計時時刻に変換したイベント発生共通時刻を算出し、該イベント発生共通時刻のデータを含むイベント発生報知データを、前記第１ネットワーク通信部により、前記ネットワークを介して前記第２表示装置に送信するイベント発生伝達部と
を備え、
前記第２表示装置は、
第２表示部と、
第２計時部と、
前記ネットワークを介して通信を行う第２ネットワーク通信部と、
前記第２ネットワーク通信部により、前記ネットワークを介して前記共通計時部にアクセスして、前記共通計時部の計時時刻データを取得する第２共通時刻取得処理を実行する第２共通時刻取得部と、
前記第２共通時刻取得処理において、前記第２共通時刻取得部が、前記共通計時部に対して、前記共通計時部の計時時刻データを要求する第２時刻要求データを送信した時点における前記第２計時部の計時時刻である第２要求送信時刻から、前記第２共通時刻取得部が、該第２時刻要求データの送信に応じて前記共通計時部から送信された第２計時時刻データを受信した時点における前記第２計時部の計時時刻である第２応答受信時刻までの間の中間時刻と、該第２計時時刻データが示す時刻との時間差に基づいて、前記第２計時部の計時時刻を補正して前記共通計時部の計時時刻に変換するための第２補正値を算出する第２補正値算出部と、
前記第２ネットワーク通信部により、前記イベント発生報知データを受信したときに、該イベント発生報知データから認識される前記イベント発生共通時刻を、前記第２補正値を用いて前記第２計時部の計時時刻に補正したイベント発生第２時刻を認識するイベント発生第２時刻認識部と、
前記第２計時部の計時時刻が、該イベント発生第２時刻に基づいて設定されたイベント開始報知時刻になった時に、前記第２表示部に前記イベントに応じた表示を行う第２表示制御部と
を備えたことを特徴とする時刻同期システム。
【請求項２】
請求項１に記載の時刻同期システムにおいて、
前記第１補正値算出部は、前記第１共通時刻取得部により前記第１共通時刻取得処理を実行して、前記第１要求送信時刻から前記第１応答受信時刻までの間の中間時刻と、前記第１計時時刻データが示す時刻との時間差を求める処理を複数回実行し、該複数回の処理により得られた時間差のうち、対応する前記第１要求送信時刻及び前記第１計時時刻データが示す時刻の差である第１往き通信時間と、対応する前記第１応答受信時刻及び前記第１計時時刻データが示す時刻の差である第１戻り通信時間との差が短時間である時間差を、優先的に用いて前記第１補正値を算出することを特徴とする時刻同期システム。
【請求項３】
請求項１又は請求項２に記載の時刻同期システムにおいて、
前記第２補正値算出部は、前記第２共通時刻取得部により前記第２共通時刻取得処理を実行して、前記第２要求送信時刻から前記第２応答受信時刻までの間の中間時刻と、前記第２計時時刻データが示す時刻との時間差を求める処理を複数回実行し、該複数回の処理により得られた時間差のうち、対応する前記第２要求送信時刻及び前記第２計時時刻データが示す時刻の差である第２往き通信時間と、対応する前記第２応答受信時刻及び前記第２計時時刻データが示す時刻の差である第２戻り通信時間との差が短時間である時間差を、優先的に用いて前記第２補正値を算出することを特徴とする時刻同期システム。
【請求項４】
第１表示装置と第２表示装置との間で、時刻を同期させた表示を行う時刻同期システムであって、
前記第１表示装置は、
第１表示部と、
第１計時部と、
ネットワークを介して通信を行う第１ネットワーク通信部と、
前記第１表示部の表示を制御する第１表示制御部と、
所定のイベントが前記第１表示部に表示される前記第１計時部の計時時刻を、イベント発生第１時刻として認識するイベント発生第１時刻認識部と、
前記イベント発生第１時刻のデータを含むイベント発生報知データを、前記第１ネットワーク通信部により、前記ネットワークを介して前記第２表示装置に送信するイベント発生伝達部と
を備え、
前記第２表示装置は、
第２表示部と、
第２計時部と、
前記ネットワークを介して通信を行う第２ネットワーク通信部と、
前記第２ネットワーク通信部により、前記ネットワークを介して前記第１表示装置の前記第１計時部にアクセスして、前記第１計時部の計時時刻データを取得する第１計時時刻取得処理を実行する第１計時時刻取得部と、
前記第１計時時刻取得処理において、前記第１計時時刻取得部が、前記第１表示装置に対して、前記第１計時部の計時時刻データを要求する第３時刻要求データを送信した時点における前記第２計時部の計時時刻である第３要求送信時刻から、前記第１計時時刻取得部が、該第３時刻要求データの送信に応じて前記第２表示装置から送信された第３計時時刻データを受信した時点における前記第２計時部の計時時刻である第３応答受信時刻までの間の中間時刻と、該第３計時時刻データが示す時刻との時間差に基づいて、前記第１計時部の計時時刻を補正して前記第２計時部の計時時刻に変換するための第３補正値を算出する第３補正値算出部と、
前記第２ネットワーク通信部により、前記イベント発生報知データを受信したときに、該イベント発生報知データから認識される前記イベント発生第１時刻を、前記第３補正値を用いて前記第２計時部の計時時刻に補正したイベント発生第２時刻を認識するイベント発生第２時刻認識部と、
前記第２計時部の計時時刻が、前記イベント発生第２時刻に基づいて設定されたイベント開始報知時刻になった時に、前記第２表示部に前記イベントに応じた表示を行う第２表示制御部と
を備えたことを特徴とする時刻同期システム。
【請求項５】
請求項４に記載の時刻同期システムにおいて、
前記第３補正値算出部は、前記第１計時時刻取得部により前記第１計時時刻取得処理を実行して、前記第３要求送信時刻から前記第３応答受信時刻までの間の中間時刻と、前記第３計時時刻データが示す時刻との時間差を求める処理を複数回実行し、該複数回の処理により得られた時間差のうち、対応する前記第３要求送信時刻及び前記第３計時時刻データが示す時刻の差である第３往き通信時間と、対応する前記第３応答受信時刻及び前記第３計時時刻データが示す時刻の差である第３戻り通信時間との差が短時間である時間差を、優先的に用いて前記第３補正値を算出することを特徴とする時刻同期システム。
【請求項６】
第１表示装置と第２表示装置との間で、時刻を同期させた表示を行う時刻同期システムであって、
前記第１表示装置は、
第１表示部と、
第１計時部と、
ネットワークを介して通信を行う第１ネットワーク通信部と、
前記第１表示部の表示を制御する第１表示制御部と、
前記第１ネットワーク通信部により、前記ネットワークを介して前記第２表示装置が有する第２計時部にアクセスして、該第２計時部の計時時刻データを取得する第２計時時刻取得処理を実行する第２計時時刻取得部と、
前記第２計時時刻取得処理において、前記第２計時時刻取得部が、前記第２表示装置に対して、前記第２計時部の計時時刻データを要求する第４時刻要求データを送信した時点における前記第１計時部の計時時刻である第４要求送信時刻から、前記第２計時時刻取得部が、該第４時刻要求データの送信に応じて前記第１表示装置から送信された第４計時時刻データを受信した時点における前記第１計時部の計時時刻である第４応答受信時刻までの間の中間時刻と、該第４計時時刻データが示す時刻との時間差に基づいて、前記第２計時部の計時時刻を補正して前記第１計時部の計時時刻に変換するための第４補正値を算出する第４補正値算出部と、
所定のイベントが前記第１表示部に表示される前記第１計時部の計時時刻を、イベント発生第１時刻として認識するイベント発生第１時刻認識部と、
前記イベント発生第１時刻を、前記第４補正値を用いて前記第２計時部の計時時刻に変換したイベント発生第２時刻を算出して、該イベント発生第２時刻のデータを含むイベント発生報知データを、前記第１ネットワーク通信部により、前記ネットワークを介して前記第２表示装置に送信するイベント発生伝達部と
を備え、
前記第２表示装置は、
第２表示部と、
前記第２計時部と、
前記ネットワークを介して通信を行う第２ネットワーク通信部と、
前記第２ネットワーク通信部により、前記ネットワークを介して前記イベント発生報知データを受信したときに、該イベント発生報知データから前記イベント発生第２時刻を認識するイベント発生第２時刻認識部と、
前記第２計時部の計時時刻が、該イベント発生第２時刻に基づいて設定されたイベント開始報知時刻になった時に、前記第２表示部に前記イベントに応じた表示を行う第２表示制御部と
を備えたことを特徴とする時刻同期システム。
【請求項７】
請求項６に記載の時刻同期システムにおいて、
前記第４補正値算出部は、前記第２計時時刻取得部により前記第２計時時刻取得処理を実行して、前記第４要求送信時刻から前記第４応答受信時刻までの間の中間時刻と、前記第４計時時刻データが示す時刻との時間差を求める処理を複数回実行し、該複数回の処理により得られた時間差のうち、対応する前記第４要求送信時刻及び前記第４計時時刻データが示す時刻の差である第４往き通信時間と、対応する前記第４応答受信時刻及び前記第４計時時刻データが示す時刻の差である第４戻り通信時間との差が短時間である時間差を、優先的に用いて前記第４補正値を算出することを特徴とする時刻同期システム。
【請求項８】
請求項１から請求項７のうちのいずれか１項に記載の時刻同期システムにおいて、
前記第１表示装置は、放送データを受信する放送受信部を有するテレビであり、
前記イベント発生第１時刻認識部は、前記放送受信部により受信された放送データに基づいて、前記第１表示制御部が前記第１表示部に歌番組を表示しているときに、所定曲の演奏を前記イベントとして前記イベント発生第１時刻を認識し、
前記第２表示制御部は、前記第２計時部の計時時刻が前記イベント開始報知時刻になった時に、前記第２表示部に前記所定曲の演奏開始を報知する表示を行うことを特徴とする時刻同期システム。
【請求項９】
請求項８に記載の時刻同期システムにおいて、
前記第２表示装置は、前記イベント発生第２時刻に同期して、使用者の歌唱音声を入力して歌唱レベルを評価する処理を実行する歌唱レベル評価部を備えたことを特徴とする時刻同期システム。
【発明の詳細な説明】
【技術分野】
【０００１】
本発明は、ネットワークを介した通信が可能な複数の機器間で、共通の時刻に同期した処理を行う時刻同期システムに関する。
【背景技術】
【０００２】
従来より、例えば、テレビと表示端末（表示部を有する端末、スマートフォン、タブレット、パソコン等）のような表示装置間の通信形態として、テレビ側で、放送波に含まれるメタ情報から番組の付加コンテンツを抽出して、テレビから表示端末に転送するようにしたシステムが提案されている（例えば、特許文献１参照）。
【０００３】
特許文献１に記載されたシステムにおいては、表示端末側で、テレビから受信した付加コンテンツを表示することができる。
【先行技術文献】
【特許文献】
【０００４】
【特許文献１】特開２０１３−４６３８６号公報
【発明の概要】
【発明が解決しようとする課題】
【０００５】
特許文献１に記載されたシステムでは、テレビ及び表示端末の双方に、直接的に通信を行うための構成を備える必要があり、このような構成を備えていないテレビ及び表示端末を使用することはできない。
【０００６】
そこで、近年のテレビ及び表示端末等の表示装置は、インターネット等のネットワークにアクセスする機能を標準的に備えていることに着目して、ネットワークを介して表示端末間の通信を行うことが考えられる。
【０００７】
しかしながら、このようにネットワークを介して表示装置間の通信を行ったときには、通信遅延の影響等により、一方の表示装置の表示と他方の表示装置の表示とを、時刻を同期させて行うことが困難な場合がある。
【０００８】
本発明は、かかる背景に鑑みてなされたものであり、表示装置間で、ネットワークを介した通信を利用して、時刻を同期させた表示を行うことができる時刻同期システムを提供することを目的とする。
【課題を解決するための手段】
【０００９】
本発明は上記目的を達成するためになされたものであり、第１表示装置と第２表示装置との間で、時刻を同期させた表示を行う時刻同期システムに関する。
【００１０】
そして、本発明の第１の態様は、
第１表示装置と第２表示装置との間で、時刻を同期させた表示を行う時刻同期システムであって、
前記第１表示装置は、
第１表示部と、
第１計時部と、
ネットワークを介して通信を行う第１ネットワーク通信部と、
前記第１表示部の表示を制御する第１表示制御部と、
前記第１ネットワーク通信部により、前記ネットワークを介して共通計時部にアクセスして、該共通計時部の計時時刻のデータを取得する第１共通時刻取得処理を実行する第１共通時刻取得部と、
前記第１共通時刻取得処理において、前記第１共通時刻取得部が、前記共通計時部に対して、前記共通計時部の計時時刻データを要求する第１時刻要求データを送信した時点における前記第１計時部の計時時刻である第１要求送信時刻から、前記第１共通時刻取得部が、該第１時刻要求データの送信に応じて前記共通計時部から送信された第１計時時刻データを受信した時点における前記第１計時部の計時時刻である第１応答受信時刻までの間の中間時刻と、該第１計時時刻データが示す時刻との時間差に基づいて、前記第１計時部の計時時刻を補正して前記共通計時部の計時時刻に変換するための第１補正値を算出する第１補正値算出部と、
所定のイベントが前記第１表示部に表示される前記第１計時部の計時時刻を、イベント発生第１時刻として認識するイベント発生第１時刻認識部と、
前記イベント発生第１時刻を、前記第１補正値を用いて前記共通計時部の計時時刻に変換したイベント発生共通時刻を算出し、該イベント発生共通時刻のデータを含むイベント発生報知データを、前記第１ネットワーク通信部により、前記ネットワークを介して前記第２表示装置に送信するイベント発生伝達部と
を備え、
前記第２表示装置は、
第２表示部と、
第２計時部と、
前記ネットワークを介して通信を行う第２ネットワーク通信部と、
前記第２ネットワーク通信部により、前記ネットワークを介して前記共通計時部にアクセスして、前記共通計時部の計時時刻データを取得する第２共通時刻取得処理を実行する第２共通時刻取得部と、
前記第２共通時刻取得処理において、前記第２共通時刻取得部が、前記共通計時部に対して、前記共通計時部の計時時刻データを要求する第２時刻要求データを送信した時点における前記第２計時部の計時時刻である第２要求送信時刻から、前記第２共通時刻取得部が、該第２時刻要求データの送信に応じて前記共通計時部から送信された第２計時時刻データを受信した時点における前記第２計時部の計時時刻である第２応答受信時刻までの間の中間時刻と、該第２計時時刻データが示す時刻との時間差に基づいて、前記第２計時部の計時時刻を補正して前記共通計時部の計時時刻に変換するための第２補正値を算出する第２補正値算出部と、
前記第２ネットワーク通信部により、前記イベント発生報知データを受信したときに、該イベント発生報知データから認識される前記イベント発生共通時刻を、前記第２補正値を用いて前記第２計時部の計時時刻に補正したイベント発生第２時刻を認識するイベント発生第２時刻認識部と、
前記第２計時部の計時時刻が、該イベント発生第２時刻に基づいて設定されたイベント開始報知時刻になった時に、前記第２表示部に前記イベントに応じた表示を行う第２表示制御部と
を備えたことを特徴とする。
【００１１】
かかる本発明によれば、前記第１表示装置は、前記第１共通時刻取得部により前記共通計時部の計時時刻データを取得して、前記第１補正値算出部により前記第１計時部の計時時刻を前記共通計時部の計時時刻に補正するための前記第１補正値を算出する。同様に、前記第２表示装置は、前記第２共通時刻取得部により前記共通計時部の計時時刻を前記共通計時部の計時時刻に補正するための前記第２補正値を算出する。このように、前記第１補正値と前記第２補正値を算出することにより、前記第１表示装置において、前記第１計時部の計時時刻を前記第１補正値を用いて前記共通計時部の計時時刻に変換することが可能になる。また、前記第２表示装置において、前記第２計時部の計時時刻を前記第２補正値を用いて前記共通計時部の計時時刻に補正することが可能になる。
【００１２】
そして、前記第１表示装置の前記イベント発生伝達部は、前記イベント発生第１時刻を前記共通計時部の計時時刻に補正した前記イベント発生共通時刻のデータを含む前記イベント発生報知データを、ネットワークを介して前記第２表示装置に送信する。また、前記第２表示装置の第２表示制御部は、前記イベント発生報知データをネットワークを介して受信したときに、前記イベント発生報知データから認識される前記イベント発生共通時刻を、前記第２計時部の計時時刻に補正した前記イベント発生第２時刻を算出する。
【００１３】
そして、前記第２表示制御部は、前記第２計時部の計時時刻が前記イベント発生第２時刻に基づいて設定された前記イベント開始報知時刻になった時に、前記第２表示部に前記イベントに応じた表示を行う。これにより、前記第１表示装置と前記第２表示装置との間で、ネットワークを介した通信を利用して、前記共通計時部の計時時刻を共通のタイミング指標として、時刻を同期させた表示を行うことができる。
【００１４】
また、前記第１の態様において、
前記第１補正値算出部は、前記第１共通時刻取得部により前記第１共通時刻取得処理を実行して、前記第１要求送信時刻から前記第１応答受信時刻までの間の中間時刻と、前記第１計時時刻データが示す時刻との時間差を求める処理を複数回実行し、該複数回の処理により得られた時間差のうち、対応する前記第１要求送信時刻及び前記第１計時時刻データが示す時刻の差である第１往き通信時間と、対応する前記第１応答受信時刻及び前記第１計時時刻データが示す時刻の差である第１戻り通信時間との差が短時間である時間差を、優先的に用いて前記第１補正値を算出するようにしてもよい。
【００１５】
この構成によれば、前記ネットワークを介した前記第１表示装置と前記共通計時部との間の通信が良好であって、通信における遅延時間が短い状態であるときには、前記第１往き通信時間（前記第１表示装置から前記共通計時部へのデータ送信に要した時間を示す）と前記第１戻り通信時間（前記共通計時部から前記第１表示装置へのデータ送信に要した時間を示す）との差が小さくなる。そこで、前記第１補正値算出部により、前記時間差を求める処理を複数回実行して得られた時間差のうち、前記第１往き通信時間と前記第１戻り通信時間との差が短時間であった時間差を優先的に用いることによって、前記第１補正値を精度良く算出することができる。
【００１６】
また、前記第１の態様において、
前記第２補正値算出部は、前記第２共通時刻取得部により前記第２共通時刻取得処理を実行して、前記第２要求送信時刻から前記第２応答受信時刻までの間の中間時刻と、前記第２計時時刻データが示す時刻との時間差を求める処理を複数回実行し、該複数回の処理により得られた時間差のうち、対応する前記第２要求送信時刻及び前記第２計時時刻データが示す時刻の差である第２往き通信時間と、対応する前記第２応答受信時刻及び前記第２計時時刻データが示す時刻の差である第２戻り通信時間との差が短時間である時間差を、優先的に用いて前記第２補正値を算出するようにしてもよい。
【００１７】
この構成によれば、前記ネットワークを介した前記第２表示装置と前記共通計時部との間の通信が良好であって、通信における遅延時間が短い状態であるときには、前記第２往き通信時間（前記第２表示装置から前記共通計時部へのデータ送信に要した時間を示す）と、前記第２戻り通信時間（前記共通計時部から前記第２表示装置へのデータ送信に要した時間を示す）との差が小さくなる。そこで、前記第２補正値算出部により、前記時間差を求める処理を複数回実行して得られた時間差のうち、前記第２往き通信時間と前記第２戻り通信時間との差が短時間である時間差を優先的に用いることによって、前記第２補正値を精度良く算出することができる。
【００１８】
次に、本発明の第２の態様は、
前記第１表示装置は、
第１表示部と、
第１計時部と、
ネットワークを介して通信を行う第１ネットワーク通信部と、
前記第１表示部の表示を制御する第１表示制御部と、
所定のイベントが前記第１表示部に表示される前記第１計時部の計時時刻を、イベント発生第１時刻として認識するイベント発生第１時刻認識部と、
前記イベント発生第１時刻のデータを含むイベント発生報知データを、前記第１ネットワーク通信部により、前記ネットワークを介して前記第２表示装置に送信するイベント発生伝達部と
を備え、
前記第２表示装置は、
第２表示部と、
第２計時部と、
前記ネットワークを介して通信を行う第２ネットワーク通信部と、
前記第２ネットワーク通信部により、前記ネットワークを介して前記第１表示装置の前記第１計時部にアクセスして、前記第１計時部の計時時刻データを取得する第１計時時刻取得処理を実行する第１計時時刻取得部と、
前記第１計時時刻取得処理において、前記第１計時時刻取得部が、前記第１表示装置に対して、前記第１計時部の計時時刻データを要求する第３時刻要求データを送信した時点における前記第２計時部の計時時刻である第３要求送信時刻から、前記第１計時時刻取得部が、該第３時刻要求データの送信に応じて前記第２表示装置から送信された第３計時時刻データを受信した時点における前記第２計時部の計時時刻である第３応答受信時刻までの間の中間時刻と、該第３計時時刻データが示す時刻との時間差に基づいて、前記第１計時部の計時時刻を補正して前記第２計時部の計時時刻に変換するための第３補正値を算出する第３補正値算出部と、
前記第２ネットワーク通信部により、前記イベント発生報知データを受信したときに、該イベント発生報知データから認識される前記イベント発生第１時刻を、前記第３補正値を用いて前記第２計時部の計時時刻に補正したイベント発生第２時刻を認識するイベント発生第２時刻認識部と、
前記第２計時部の計時時刻が、前記イベント発生第２時刻に基づいて設定されたイベント開始報知時刻になった時に、前記第２表示部に前記イベントに応じた表示を行う第２表示制御部と
を備えたことを特徴とする。
【００１９】
かかる本発明によれば、前記第２表示装置は、前記第１計時時刻取得部により、前記第１表示装置の前記第１計時部の計時時刻データを取得して、前記第３補正値算出部により前記第１計時部の計時時刻を前記第２計時部の計時時刻に補正するための前記第３補正値を算出する。このように、前記第３補正値を算出することにより、前記第２表示装置において、前記第２計時部の計時時刻を前記第１計時部の計時時刻に補正することが可能になる。
【００２０】
そして、前記第１表示装置の前記イベント発生伝達部は、前記イベント発生第１時刻のデータを含む前記イベント発生報知データを、ネットワークを介して前記第２表示装置に送信する。また、前記第２表示装置の前記第２表示制御部は、前記イベント発生報知データをネットワークを介して受信したときに、前記イベント発生報知データから認識される前記イベント発生第１時刻を、前記第２計時部の計時時刻に補正した前記イベント発生第２時刻を算出する。
【００２１】
そして、前記第２表示制御部は、前記第２計時部の計時時刻が前記イベント発生第２時刻になった時に、前記第２表示部に前記イベントに応じた表示を行う。これにより、前記第１表示装置と前記第２表示装置との間で、ネットワークを介した通信を利用して、前記第１計時部の計時時刻を共通のタイミング指標として、時刻を同期させた表示を行うことができる。
【００２２】
また、前記第２の態様において、
前記第３補正値算出部は、前記第１計時時刻取得部により前記第１計時時刻取得処理を実行して、前記第３要求送信時刻から前記第３応答受信時刻までの間の中間時刻と、前記第３計時時刻データが示す時刻との時間差を求める処理を複数回実行し、該複数回の処理により得られた時間差のうち、対応する前記第３要求送信時刻及び前記第３計時時刻データが示す時刻の差である第３往き通信時間と、対応する前記第３応答受信時刻及び前記第３計時時刻データが示す時刻の差である第３戻り通信時間との差が短時間である時間差を、優先的に用いて前記第３補正値を算出するようにしてもよい。
【００２３】
この構成によれば、前記ネットワークを介した前記第１表示装置と前記第２表示装置との間の通信が良好であって、通信における遅延時間が短い状態であるときには、前記第３往き通信時間（前記第２表示装置から前記第１表示装置へのデータ送信に要した時間を示す）と、前記第３戻り通信時間（前記第１表示装置から前記第２表示装置へのデータ送信に要した時間を示す）との差が小さくなる。そこで、前記第３補正値算出部により、前記時間差を求める処理を複数回実行して得られた時間差のうち、前記第３往き通信時間と前記第３戻り通信時間との差が短時間である時間差を優先的に用いることによって、前記第３補正値を精度良く算出することができる。
【００２４】
次に、本発明の第３の態様は、
前記第１表示装置は、
第１表示部と、
第１計時部と、
ネットワークを介して通信を行う第１ネットワーク通信部と、
前記第１表示部の表示を制御する第１表示制御部と、
前記第１ネットワーク通信部により、前記ネットワークを介して前記第２表示装置が有する第２計時部にアクセスして、該第２計時部の計時時刻データを取得する第２計時時刻取得処理を実行する第２計時時刻取得部と、
前記第２計時時刻取得処理において、前記第２計時時刻取得部が、前記第２表示装置に対して、前記第２計時部の計時時刻データを要求する第４時刻要求データを送信した時点における前記第１計時部の計時時刻である第４要求送信時刻から、前記第２計時時刻取得部が、該第４時刻要求データの送信に応じて前記第１表示装置から送信された第４計時時刻データを受信した時点における前記第１計時部の計時時刻である第４応答受信時刻までの間の中間時刻と、該第４計時時刻データが示す時刻との時間差に基づいて、前記第２計時部の計時時刻を補正して前記第１計時部の計時時刻に変換するための第４補正値を算出する第４補正値算出部と、
所定のイベントが前記第１表示部に表示される前記第１計時部の計時時刻を、イベント発生第１時刻として認識するイベント発生第１時刻認識部と、
前記イベント発生第１時刻を、前記第４補正値を用いて前記第２計時部の計時時刻に変換したイベント発生第２時刻を算出して、該イベント発生第２時刻のデータを含むイベント発生報知データを、前記第１ネットワーク通信部により、前記ネットワークを介して前記第２表示装置に送信するイベント発生伝達部と
を備え、
前記第２表示装置は、
第２表示部と、
前記第２計時部と、
前記ネットワークを介して通信を行う第２ネットワーク通信部と、
前記第２ネットワーク通信部により、前記ネットワークを介して前記イベント発生報知データを受信したときに、該イベント発生報知データから前記イベント発生第２時刻を認識するイベント発生第２時刻認識部と、
前記第２計時部の計時時刻が、該イベント発生第２時刻に基づいて設定されたイベント開始報知時刻になった時に、前記第２表示部に前記イベントに応じた表示を行う第２表示制御部と
を備えたことを特徴とする。
【００２５】
かかる本発明によれば、前記第１表示装置は、前記第２計時時刻取得部により、前記第２表示装置の前記第２計時部の計時時刻データを取得して、前記第４補正値算出部により前記第１計時部の計時時刻を前記第２計時部の計時時刻に補正するための前記第４補正値を算出する。このように、前記第４補正値を算出することにより、前記第１表示装置において、前記第１計時部の計時時刻を前記第２計時部の計時時刻に補正することができる。
【００２６】
そして、前記第１表示装置の前記イベント発生伝達部は、前記イベント発生第１時刻を前記第２表示装置の前記第２計時部の計時時刻に補正した前記イベント発生第２時刻のデータを含む前記イベント発生報知データを、ネットワークを介して前記第２表示装置に送信する。また、前記第２表示装置の前記第２表示制御部は、前記イベント発生報知データをネットワークを介して受信したときに、前記イベント発生報知データから前記イベント発生第２時刻を認識する。
【００２７】
そして、前記第２表示制御部は、前記第２計時部の計時時刻が前記イベント発生第２時刻に基づいて設定された前記イベント開始報知時刻になった時に、前記第２表示部に前記イベントに応じた表示を行う。これにより、前記第１表示装置と前記第２表示装置との間で、ネットワークを介した通信を利用して、前記第２計時部の計時時刻を共通のタイミング指標として、時刻を同期させた表示を行うことができる。
【００２８】
また、前記第３の態様において、
前記第４補正値算出部は、前記第２計時時刻取得部により前記第２計時時刻取得処理を実行して、前記第４要求送信時刻から前記第４応答受信時刻までの間の中間時刻と、前記第４計時時刻データが示す時刻との時間差を求める処理を複数回実行し、該複数回の処理により得られた時間差のうち、対応する前記第４要求送信時刻及び前記第４計時時刻データが示す時刻の差である第４往き通信時間と、対応する前記第４応答受信時刻及び前記第４計時時刻データが示す時刻の差である第４戻り通信時間との差が短時間である時間差を、優先的に用いて前記第４補正値を算出するようにしてもよい。
【００２９】
この構成によれば、前記ネットワークを介した前記第１表示装置と前記第２表示装置との間の通信が良好であって、通信における遅延時間が短い状態であるときには、前記第４往き通信時間（前記第１表示装置から前記第２表示装置へのデータ送信に要した時間を示す）と、前記第４戻り通信時間（前記第２表示装置から前記第１表示装置へのデータ送信に要した時間を示す）との差が小さくなる。そこで、前記第４補正値算出部により、前記時間差を求める処理を複数回実行して得られた時間差のうち、前記第４往き通信時間と前記第４戻り通信時間との差が短時間である時間差を優先的に用いることによって、前記第４補正値を精度良く算出することができる。
【００３０】
次に、前記第１の態様から前記第３の態様において、
前記第１表示装置は、放送データを受信する放送受信部を有するテレビであり、
前記イベント発生第１時刻認識部は、前記放送受信部により受信された放送データに基づいて、前記第１表示制御部が前記第１表示部に歌番組を表示しているときに、所定曲の演奏を前記イベントとして前記イベント発生第１時刻を認識し、
前記第２表示制御部は、前記第２計時部の計時時刻が前記イベント開始報知時刻になった時に、前記第２表示部に前記所定曲の演奏開始を報知する表示を行うことを特徴とする。
【００３１】
かかる本発明によれば、前記テレビ（第１表示装置）に歌番組が表示されている時に、該歌番組で前記所定曲の演奏時刻（イベント発生共通時刻、イベント発生第１時刻、イベント発生第２時刻のうちのいずれか）を含む前記イベント発生報知データが、前記テレビからネットワークを介して前記第２表示装置に送信される。
【００３２】
そして、前記イベント発生報知データを受信した前記第２表示装置においては、前記イベント発生報知データから認識される前記所定曲の演奏時刻から、前記イベント発生第２時刻に基づく前記イベント開始報知時刻が設定される。そのため、前記第２表示制御部により、前記テレビで前記所定曲の演奏が開始されるタイミング又はその直前等に、前記第２表示部に前記所定曲の演奏開始を報知する表示を行うことができる。
【００３３】
さらに、前記第２表示装置は、前記イベント発生第２時刻に同期して、使用者の歌唱音声を入力して歌唱レベルを評価する処理を実行する歌唱レベル評価部を備えるようにしてもよい。
【００３４】
この構成によれば、前記所定曲の演奏開始の報知を視認した使用者が歌唱を開始したときに、前記歌唱レベル評価部は、前記イベント発生第２時刻（前記所定曲の演奏が開始される時刻）に同期して、使用者の歌唱レベルを評価する処理を実行することができる。そのため、前記所定曲の演奏を基準とした使用者の歌唱レベルの評価を適切に行うことができる。
【図面の簡単な説明】
【００３５】
【図１】時刻同期システムの第１実施形態の構成図。
【図２】時刻同期システムの第１実施形態の作動説明図。
【図３】時刻同期システムの第２実施形態の構成図。
【図４】時刻同期システムの第２実施形態の作動説明図。
【図５】時刻同期システムの第３実施形態の構成図。
【図６】時刻同期システムの第３実施形態の構成図。
【発明を実施するための形態】
【００３６】
本発明の時刻同期システムの実施形態について、図１〜図６を参照して説明する。
【００３７】
［第１実施形態］
先ず、図１〜図２を参照して、第１実施形態について説明する。
【００３８】
図１を参照して、第１実施形態の時刻同期システムは、テレビ１０ａ（本発明の第１表示装置に相当する）と、携帯端末３０ａ（例えば、スマートフォンやタブレット端末。本発明の第２表示装置に相当する）とにより構成されている。
【００３９】
テレビ１０ａは、図示しない発振器からのクロック信号を計数して現在時刻を計時する第１計時部１４と、アンテナ５０を介してテレビ放送の放送データを受信する放送受信部１１と、ネットワーク６０（インターネット等の通信ネットワーク）を介してデータの送受信を行なう第１ネットワーク通信部１２と、テレビ放送の番組等を表示する第１ディスプレイ１９（液晶パネル等。本発明の第１表示部に相当する）とを備えている。
【００４０】
さらに、テレビ１０ａは、図示しないＣＰＵ、メモリ、各種インターフェース回路等を備えた制御基板を有しており、ＣＰＵは、メモリに保持された制御プログラムを実行することによって、第１共通時刻取得部１３、第１補正値算出部１５、イベント発生第１時刻認識部１６、イベント発生伝達部１７ａ、及び第１表示制御部１８として機能する。第１共通時刻取得部１３、第１補正値算出部１５、イベント発生第１時刻認識部１６、イベント発生伝達部１７ａ、及び第１表示制御部１８による処理の詳細については、後述する。
【００４１】
テレビ１０ａは、第１ネットワーク通信部１２により、ネットワーク６０を介して、標準時サーバ７０（本発明の共通計時部に相当する）及び携帯端末３０ａとの間で通信を行う。標準時サーバ７０は、ネットワーク６０を介してアクセスしてきた端末に対して、標準時（ある国又は地域が共通で使う時刻、例えば日本標準時。本発明の共通時刻に相当する）の現在時刻データを送信する。
【００４２】
また、携帯端末３０ａは、図示しない発振器からのクロック信号を計数して現在時刻を計時する第２計時部３３と、ネットワーク６０を介してデータの送受信を行なう第２ネットワーク通信部３１と、各種の情報を表示する第２ディスプレイ３７（液晶パネル等。本発明の第２表示部に相当する）と、使用者の音声を入力するマイク３９とを備えている。
【００４３】
さらに、携帯端末３０ａは、図示しないＣＰＵ、メモリ、各種インターフェース回路等を備えた制御基板を有しており、ＣＰＵは、メモリに保持された制御プログラムを実行することによって、第２共通時刻取得部３２、第２補正値算出部３４、イベント発生第２時刻認識部３５ａ、第２表示制御部３６、及び歌唱レベル評価部３８として機能する。第２共通時刻取得部３２、第２補正値算出部３４、イベント発生第２時刻認識部３５ａ、第２表示制御部３６、及び歌唱レベル評価部３８による処理の詳細については、後述する。
【００４４】
携帯端末３０ａは、第２ネットワーク通信部３１により、ネットワーク６０を介して、標準時サーバ７０及びテレビ１０ａとの間で通信を行う。
【００４５】
次に、図２を参照して、テレビ１０ａの第１ディスプレイ１９に歌番組が表示されている場合に、特定の歌手Ａによる所定曲の歌唱（所定曲の演奏）が開始される時刻に同期させて、携帯端末３０ａの第２ディスプレイ３７に、使用者に歌唱の開始を促す表示を行うための一連の処理について説明する。
【００４６】
先ず、テレビ１０ａ側の処理について説明する。テレビ１０ａは、携帯端末３０ａとの間で共通の時刻を認識するための処理を行う。第１共通時刻取得部１３（図１参照）は、第１ネットワーク通信部１２によりネットワーク６０を介して標準時サーバ７０から、標準時の時刻データ（現在時刻のデータ）を取得する（第１共通時刻取得処理）。
【００４７】
具体的には、第１共通時刻取得部１３は、標準時サーバ７０に対して計時時刻データ（標準時の現在時刻のデータ）の送信を要求する第１時刻要求データを、第１ネットワーク通信部１２により、ネットワーク６０を介して標準時サーバ７０に送信する。そして、この第１時刻要求データを受信した標準時サーバ７０から、ネットワーク６０を介して送信される第１計時時刻データを、第１ネットワーク通信部１２により受信する。
【００４８】
第１補正値算出部１５は、第１時刻要求データを標準時サーバ７０に送信した時点における第１計時部１４の計時時刻である第１要求送信時刻ＴＩＭ１１と、標準時サーバ７０から第１計時時刻データを受信した時点における第１計時部１４の計時時刻である第１応答受信時刻ＴＩＭ１２とを認識する。
【００４９】
そして、第１補正値算出部１５は、第１要求送信時刻ＴＩＭ１１から第１応答受信時刻ＴＩＭ１２までの間の中間時刻ＴＩＭ１３（＝ＴＩＭ１１＋（ＴＩＭ１２−ＴＩＭ１１）／２）と、第１計時時刻データが示す時刻（標準時の計時時刻）ＴＩＭｓとの時間差ΔＴ１ｓ（＝ＴＩＭ１３−ＴＩＭｓ）を算出する。
【００５０】
第１補正値算出部１５は、時間差ΔＴ１ｓに基づいて、第１計時部１４の計時時刻ＴＩＭ１を、標準時の計時時刻ＴＩＭｓに変換するための第１補正値Ｋ１ｓを算出する。ここで、第１補正値算出部１５は、第１共通時刻取得処理により第１計時時刻データ（標準時の計時時刻データ）を受信して、第１要求送信時刻ＴＩＭ１１から第１応答受信時刻ＴＩＭ１２までの間の中間時刻ＴＩＭ１３と、標準時の計時時刻データが示す時刻ＴＩＭｓとの時間差ΔＴ１ｓを算出する処理を複数回実行する。そして、第１補正値算出部１５は、得られた複数の時間差ΔＴ１ｓの平均値を、第１補正値Ｋ１ｓとして算出する。
【００５１】
ここで、テレビ１０ａと標準時サーバ７０との通信状況が良好で、通信遅延時間が短い状態であるときには、第１要求送信時刻ＴＩＭ１１及び第１計時時刻データが示す時刻ＴＩＭｓの差（第１往き通信時間）Ｔｇ１と、第１応答受信時刻ＴＩＭ１２及び第１計時時刻データが示す時刻ＴＩＭｓの差（第１戻り通信時間）Ｔｂ１との差ΔＴｇｂ１が小さくなる。
【００５２】
そこで、算出された複数の時間差ΔＴ１ｓのうち、対応する（算出時の）第１往き通信時間Ｔｇ１と第１戻り通信時間Ｔｂ１との差ΔＴｇｂ１が短時間であるものを、優先的に選択して平均値を求めることにより、精度の良い第１補正値Ｋ１ｓを求めることができる。例えば、得られた複数の時間差ΔＴ１ｓのうち、ΔＴｂｇ１が最小であるものから順に所定個数の時間差ΔＴ１ｓを選択して、平均値を求めてもよい。或いは、得られた複数の時間差ΔＴ１ｓのうち、ΔＴｇｂ１が予め設定した上限時間を越える時間差ΔＴ１ｓを除外して、平均値を求めてもよい。
【００５３】
さらに、このように、上限時間を超える時間差ΔＴ１ｓを除外して、残った時間差ΔＴ１ｓのうちで、最短時間のものから順に所定個数の時間差ΔＴ１ｓを選択して、平均値を求めてもよい。
【００５４】
また、イベント発生第１時刻認識部１６は、放送受信部１１（図１参照）により受信された放送データＢＲｄａｔから、歌番組の開始時点から特定の歌手Ａの歌唱が開始されるまでの相対時間を取得して、歌手Ａの歌唱が開始される第１計時部１４の計時時刻（イベント発生第１時刻）ＩＶｔ１を認識する。この場合、テレビ１０ａにおける放送データＢＲｄａｔからの動画データのデコードによる遅延を補正して、イベント発生第１時刻ＩＶｔ１を求めることができる。
【００５５】
イベント発生伝達部１７ａは、以下の式（１）により、イベント発生第１時刻ＩＶｔ１を標準時の時刻に補正したイベント発生標準時刻ＩＶｔｓ（本発明のイベント発生共通時刻に相当する）を算出する。
【００５６】
ＩＶｔｓ＝ＩＶｔ１−Ｋ１ｓ  ・・・・・（１）
但し、ＩＶｔｓ：イベント発生標準時刻、ＩＶｔ１：イベント発生第１時刻、Ｋ１ｓ：第１補正値。
【００５７】
そして、イベント発生伝達部１７ａは、イベント発生標準時刻ＩＶｔｓのデータを含むイベント発生報知データＩＶｉｎｆａを、第１ネットワーク通信部１２により、ネットワーク６０を介して携帯端末３０ａに送信する。
【００５８】
また、第１表示制御部１８は、第１計時部１４の計時時刻ＴＩＭ１が、イベント発生第１時刻ＩＶｔ１になった時に、歌手Ａの歌唱の表示を開始する。
【００５９】
次に、携帯端末３０ａ側の処理について説明する。携帯端末３０ａは、テレビ１０ａとの間で共通の時刻を認識するための処理を行う。第２共通時刻取得部３２（図１参照）は、第２ネットワーク通信部３１（図１参照）により、ネットワーク６０を介して標準時サーバ７０から標準時の時刻データ（現在時刻のデータ）を取得する（第２共通時刻取得処理）。
【００６０】
具体的には、第２共通時刻取得部３２は、標準時サーバ７０に対して計時時刻データ（標準時の現在時刻のデータ）の送信を要求する第２時刻要求データを、第２ネットワーク通信部３１により、ネットワーク６０を介して標準時サーバ７０に送信する。そして、この第２時刻要求データを受信した標準時サーバ７０から、ネットワーク６０を介して送信される計時時刻データを、第２ネットワーク通信部３１により受信する。
【００６１】
第２補正値算出部３４は、第２時刻要求データを標準時サーバ７０に送信した時点における第２計時部３３の計時時刻である第２要求送信時刻ＴＩＭ２１と、標準時サーバ７０から標準時の計時時刻データを受信した時点における第２計時部３３の計時時刻である第２応答受信時刻ＴＩＭ２２とを認識する。
【００６２】
そして、第２補正値算出部３４は、第２要求送信時刻ＴＩＭ２１から第２応答受信時刻ＴＩＭ２２までの間の中間時刻ＴＩＭ２３（＝ＴＩＭ２１＋（ＴＩＭ２２−ＴＩＭ２１）／２）と、標準時の計時時刻データが示す時刻ＴＩＭｓとの時間差ΔＴ２ｓ（＝ＴＩＭ２３−ＴＩＭｓ）を算出する。
【００６３】
第２補正値算出部３４は、時間差ΔＴ２ｓに基づいて、第２計時部３３の計時時刻ＴＩＭ２を、標準時の時刻ＴＩＭｓに変換するための第２補正値Ｋ２ｓを算出する。ここで、第２補正値算出部３４は、第２共通時刻取得処理により標準時の計時時刻データを受信して、第２要求送信時刻ＴＩＭ２１から第２応答受信時刻ＴＩＭ２２までの間の中間時刻ＴＩＭ２３と、標準時の計時時刻データが示し時刻ＴＩＭｓとの時間差ΔＴ２ｓを算出する処理を複数回実行する。そして、第２補正値算出部３４は、得られた複数の時間差ΔＴ２ｓの平均値を、第２補正値Ｋ２ｓとして算出する。
【００６４】
ここで、テレビ１０ａと標準時サーバ７０との通信状況が良好で、通信遅延時間が短いときには、第２要求送信時刻ＴＩＭ２１及び第２計時時刻データが示す時刻ＴＩＭｓの差（第２往き通信時間）Ｔｇ２と、第２応答受信時刻ＴＩＭ２２及び第２計時時刻データが示す時刻ＴＩＭｓの差（第２戻り通信時間）Ｔｂ２との差ΔＴｇｂ２が小さくなる。
【００６５】
そこで、算出された複数の時間差ΔＴ２ｓのうち、対応する（算出時の）第２往き通信時間Ｔｇ２と第２戻り通信時間Ｔｂ２との差ΔＴｇｂ２が短時間であるものを、優先的に選択して平均値を求めることにより、精度の良い第２補正値Ｋ２ｓを求めることができる。時間差ΔＴ２ｓの選択は、上述した第１補正値算出部１５による第１補正値Ｋ１ｓの算出手順と同様に行えばよい。
【００６６】
イベント発生第２時刻認識部３５ａは、第２ネットワーク通信部３１(図１参照）により、ネットワーク６０を介して、テレビ１０ａからイベント発生報知データＩＶｉｎｆａを受信した時に、イベント発生報知データＩＶｉｎｆａに含まれるデータからイベント発生標準時刻ＩＶｔｓを認識する。
【００６７】
そして、イベント発生第２時刻認識部３５ａは、以下の式（２）により、イベント発生標準時刻ＩＶｔｓを第２計時部３３の計時時刻に補正したイベント発生第２時刻ＩＶｔ２を算出する。
【００６８】
ＩＶｔ２＝ＩＶｔｓ＋Ｋ２ｓ  ・・・・・（２）
但し、ＩＶｔ２：イベント発生第２時刻、ＩＶｔｓ：イベント発生標準時刻、Ｋ２ｓ：第２補正値。
【００６９】
第２表示制御部３６は、第２計時部３３の計時時刻ＴＩＭ２が、イベント発生第２時刻ＩＶｔ２よりもβ（例えば３秒）前になった時（本発明のイベント発生第２時刻に基づいて設定されたイベント開始報知時刻に相当する）に、第２ディスプレイ３７に、「β秒後に、歌手Ａさんの歌が始まります」との表示（本発明のイベントに応じた表示に相当する）をする。この表示（事前報知表示）により、携帯端末３０ａに使用者に対して、歌唱開始のタイミングを事前に認識させることができる。
【００７０】
そして、第２計時部３３の計時時刻ＴＩＭ２が、イベント発生第２時刻ＩＶｔ２になった時（本発明のイベント発生第２時刻に基づいて設定されたイベント開始報知時刻に相当する）に、第２表示制御部３６は、第２ディスプレイ３７に、「歌手Ａさんと一緒に歌いましょう」との表示（歌唱開始表示、本発明のイベントに応じた表示に相当する）をする。
【００７１】
ここで、この歌唱開始表示は、第２計時部３３の計時時刻ＴＩＭ２がイベント発生第２時刻ＩＶｔ２となった時（ＴＩＭ２＝ＩＶｔ２）になされるが、この時に標準時刻ＴＩＭｓがイベント発生標準時刻ＩＶｔｓとなる。そして、テレビ１０ａにおいては、標準時刻ＴＩＭｓがイベント発生標準時刻ＩＶｔｓになった時（第１計時部１４の計時時刻ＴＩＭ１がイベント発生第１時刻ＩＶｔ１になった時）に、第１ディスプレイ１９に歌手Ａの歌唱の表示が開始される。
【００７２】
そのため、携帯端末３０ａにおいて、第２ディスプレイ３７に前記事前報知表示及び前記歌唱開始表示がなされる時点を、テレビ１０ａの第１ディスプレイ１９に歌手Ａの歌唱の表示が開始される時点に、例えば数１０msec程度の誤差範囲で精度良く同期させることができる。
【００７３】
歌唱レベル評価部３８は、前記歌唱開始表示を認識した使用者が歌唱を開始したときに、歌唱音声をマイク３９により集音して歌唱力（歌唱レベル）を評価し、評価結果を第２ディスプレイ３７に表示する。この場合、携帯端末３０ａ側で、テレビ１０ａのディスプレイ１９に表示される歌手Ａの歌唱開始時点が精度良く認識されているため、歌唱レベル評価部３８は、歌手Ａの歌唱開始時点に同期して、使用者の歌唱力の評価を開始することができる。
【００７４】
なお、歌唱力の評価に必要なデータを、第２ネットワーク通信部３１により、ネットワーク６０を介して所定サーバから取得するようにしてもよい。また、歌唱レベル評価部３８による評価結果のデータをテレビ１０ａに送信して、テレビ１０ａのディスプレイ１９に評価結果を表示するようにしてもよい。
【００７５】
［第２実施形態］
次に、図３〜図４を参照して、第２実施形態について説明する。なお、上述した第１実施形態と同様の構成については、同一の符号を付して説明を省略する。
【００７６】
図３を参照して、第２実施形態の時刻同期システムは、テレビ１０ｂ（本発明の第１表示装置に相当する）と、携帯端末３０ｂ（本発明の第２表示装置に相当する）とにより構成されている。テレビ１０ｂと携帯端末３０ｂは、テレビ１０ｂの第１計時部１４の計時時刻を共通の時刻とする。そのため、前記第１実施形態とは異なり、テレビ１０ｂは、標準時サーバ７０（図１参照）から標準時の時刻データを取得する第１共通時刻取得部１３（図１参照）と、第１計時部１４の計時時刻を標準時の時刻に補正するための第１補正値を算出する第１補正値算出部１５（図１参照）を備えていない。
【００７７】
同様に、携帯端末３０ｂも、標準時サーバ７０（図１参照）から標準時の時刻データを取得する第２共通時刻取得部３２と、標準時の時刻を第２計時部３３の計時時刻に補正するための第２補正値を算出する第２補正値算出部３４（図１参照）を備えていない。
【００７８】
また、携帯端末３０ｂは、第２ネットワーク通信部３１により、ネットワーク６０を介してテレビ１０ｂの第１計時部１４にアクセスし、第１計時部１４の計時時刻データを取得する第１計時時刻取得部４０と、第１計時部１４の計時時刻を第２計時部３３の計時時刻に補正するための第３補正値を算出する第３補正値算出部４１とを備えている。携帯端末３０ｂに備えられたＣＰＵは、メモリに保持された制御プログラムを実行することにより、第１計時時刻取得部４０及び第３補正値算出部４１として機能する。
【００７９】
テレビ１０ｂのイベント発生伝達部１７ｂは、送信するイベント発生報知データの構成が、テレビ１０ａのイベント発生伝達部１７ａ（図１参照）とは相違する。そして、この相違により、携帯端末３０ｂのイベント発生第２時刻認識部３５ｂによるイベント発生第２時刻の認識処理も、前記第１実施形態の携帯端末３０ａのイベント発生第２時刻認識部３５ａ（図１参照）と相違している。
【００８０】
次に、図４を参照して、テレビ１０ｂの第１ディスプレイ１９に歌番組の放送が表示されている場合に、特定の歌手Ａによる所定曲の歌唱（所定曲の演奏）が開始される時刻に同期させて、携帯端末３０ｂの第２ディスプレイ３７に、使用者に歌唱の開始を促す表示を行うための一連の処理について説明する。
【００８１】
先ず、テレビ１０ｂ側の処理について説明する。イベント発生伝達部１７ｂは、イベント発生第１時刻ＩＶｔ１のデータを含むイベント発生報知データＩＶｉｎｆｂを、第１ネットワーク通信部１２（図３参照）により、ネットワーク６０を介して携帯端末３０ｂに送信する。
【００８２】
次に、携帯端末３０ｂ側の処理について説明する。携帯端末３０ｂは、テレビ１０ｂとの間で第１計時部１４の計時時刻を共通の時刻として使用するための処理を行う。第１計時時刻取得部４０（図３参照）は、第２ネットワーク通信部３１（図３参照）により、ネットワーク６０を介してテレビ１０ｂの第１計時部１４にアクセスし、第１計時部１４の計時時刻データを取得する（第１計時時刻取得処理）。
【００８３】
具体的には、第１計時時刻取得部４０は、テレビ１０ｂに対して第１計時部１４の計時時刻のデータ（第１計時部１４の現在時刻のデータ）の送信を要求する第３時刻要求データを、第２ネットワーク通信部３１により、ネットワーク６０を介してテレビ１０ｂに送信する。そして、この第３時刻要求データを受信したテレビ１０ｂから、ネットワーク６０を介して送信される第３計時時刻データを、第２ネットワーク通信部３１により受信する。
【００８４】
第３補正値算出部４１は、第３時刻要求データをテレビ１０ｂに送信した時点における第２計時部３３の時刻である第３要求送信時刻ＴＩＭ３１と、テレビ１０ｂから第３計時時刻データを受信した時点における第２計時部３３の計時時刻である第３応答受信時刻ＴＩＭ３２とを認識する。
【００８５】
そして、第３補正値算出部４１は、第３要求送信時刻ＴＩＭ３１から第３応答受信時刻ＴＩＭ３２までの間の中間時刻ＴＩＭ３３（＝ＴＩＭ３１＋（ＴＩＭ３２−ＴＩＭ３１）／２）と、第３計時時刻データが示す時刻（第１計時部１４の計時時刻）ＴＩＭ１との時間差ΔＴ１２ａ（＝ＴＩＭ３３−ＴＩＭ１）を算出する。
【００８６】
第３補正値算出部４１は、時間差ΔＴ１２ａに基づいて、第２計時部３３の計時時刻ＴＩＭ２を、第１計時部１４の計時時刻ＴＩＭ１に変換するための第３補正値Ｋ１２ａを算出する。ここで、第３補正値算出部４１は、第１計時時刻取得処理により第３計時時刻データ（第１計時部１４の計時時刻データ）を受信して、第３要求送信時刻ＴＩＭ３１から第３応答受信時刻ＴＩＭ３２までの間の中間時刻ＴＩＭ３３と、第３計時時刻データが示す時刻ＴＩＭ１との時間差ΔＴ１２ａを算出する処理を複数回実行する。そして、第３補正値算出部４１は、得られた複数の時間差ΔＴ１２ａの平均値を、第３補正値Ｋ１２ａとして算出する。
【００８７】
ここで、テレビ１０ｂと携帯端末３０ｂとの通信状況が良好で、通信遅延時間が短い状態であるときには、第３要求送信時刻ＴＩＭ３１及び第３計時時刻データが示す時刻ＴＩＭ１の差（第３往き通信時間）Ｔｇ３と、第３応答受信時刻ＴＩＭ３２及び第３計時時刻データが示す時刻ＴＩＭ１の差（第３戻り通信時間）Ｔｂ３との差ΔＴｇｂ３が小さくなる。
【００８８】
そこで、算出された複数の時間差ΔＴ１２ａのうち、対応する（算出時の）第３往き通信時間Ｔｇ３と第３戻り通信時間Ｔｂ３との差ΔＴｇｂ３が短時間であるものを、優先的に選択して平均値を求めることにより、精度の良い第３補正値Ｋ１２ａを求めることができる。時間差ΔＴ１２ａの選択は、上述した第１補正値算出部１５による第１補正値Ｋ１ｓの算出手順と同様に行えばよい。
【００８９】
イベント発生第２時刻認識部３５ｂは、第２ネットワーク通信部３１（図１参照）により、ネットワーク６０を介して、テレビ１０ｂからイベント発生報知データＩＶｉｎｆｂを受信した時に、イベント発生報知データＩＶｉｎｆｂに含まれるデータからイベント発生第１時刻ＩＶｔ１を認識する。
【００９０】
そして、イベント発生第２時刻認識部３５ｂは、以下の式（３）により、イベント発生第１時刻ＩＶｔ１を第２計時部３３の計時時刻に補正したイベント発生第２時刻ＩＶｔ２を算出する。
【００９１】
ＩＶｔ２＝ＩＶｔ１−Ｋ１２ａ  ・・・・・（３）
但し、ＩＶｔ２：イベント発生第２時刻、ＩＶｔ１：イベント発生第１時刻、Ｋ１２ａ：第３補正値。
【００９２】
このようにして、携帯端末３０ｂ側で、イベント発生第２時刻ＩＶｔ２を認識することにより、上述した第１実施形態と同様に、携帯端末３０ｂにおいて、第２ディスプレイ３７に前記事前報知表示及び前記歌唱開始表示がなされる時点を、テレビ１０ｂの第１ディスプレイ１９に歌手Ａの歌唱の表示が開始される時点に同期させることができる。また、歌唱レベル評価部３８は、歌手Ａの歌唱開始時点に同期して、使用者の歌唱力の評価を開始することができる。
【００９３】
［第３実施形態］
次に、図５〜図６を参照して、第３実施形態について説明する。なお、上述した第１実施形態と同様の構成については、同一の符号を付して説明を省略する。
【００９４】
図５を参照して、第３実施形態の時刻同期システムは、テレビ１０ｃ（本発明の第１表示装置に相当する）と、携帯端末３０ｃ（本発明の第２表示装置に相当する）とにより構成されている。テレビ１０ｃと携帯端末３０ｃは、携帯端末３０ｃの第２計時部３３の計時時刻を共通の時刻とする。そのため、テレビ１０ｃは、標準時サーバ７０（図１参照）から標準時の時刻データを取得する第１共通時刻取得部１３（図１参照）と、第１計時部１４の計時時刻を標準時の時刻に補正するための第１補正値を算出する第１補正値算出部１５（図１参照）を備えていない。
【００９５】
同様に、携帯端末３０ｃも、標準時サーバ７０（図１参照）から標準時の時刻データを取得する第２共通時刻取得部３２（図１参照）と、標準時の時刻を第２計時部３３の計時時刻に補正するための第２補正値を算出する第２補正値算出部３４（図１参照）を備えていない。
【００９６】
また、テレビ１０ｃは、第１ネットワーク通信部１２により、ネットワーク６０を介して携帯端末３０ｃの第２計時部３３にアクセスし、第２計時部３３の計時時刻データを取得する第２計時時刻取得部２０と、第１計時部１４の計時時刻を第２計時部３３の計時時刻を第２計時部３３の計時時刻に補正するための第４補正値を算出する第４補正値算出部２１とを備えている。テレビ１０ｃに備えられたＣＰＵは、メモリに保持された制御プログラムを実行することにより、第２計時時刻取得部２０及び第４補正値算出部２１として機能する。
【００９７】
テレビ１０ｃのイベント発生伝達部１７ｃは、送信するイベント発生データの構成が、上述した第１実施形態のイベント発生伝達部１７ａ（図１参照）及び第２実施形態のイベント発生伝達部１７ｂ（図３参照）とは相違する。そして、この相違により、携帯端末３０ｃのイベント発生第２時刻認識部３５ｃによるイベント発生第２時刻の認識処理が、前記第１実施形態のイベント発生第２時刻認識部３５ａ（図１参照）及び前記第２実施形態のイベント発生第２時刻認識部３５ｂ（図３参照）と相違している。
【００９８】
次に、図６を参照して、テレビ１０ｃの第１ディスプレイ１９に歌番組の放送が表示されている場合に、特定の歌手による歌唱が開始される時刻に同期させて、携帯端末３０ｃの第２ディスプレイ３７に、使用者に歌唱の開始を促す表示を行うための一連の処理について説明する。
【００９９】
先ず、テレビ１０ｃ側の処理について説明する。テレビ１０ｃは、携帯端末３０ｃとの間で第２計時部３３の計時時刻を共通の時刻として使用するための処理を行う。第２計時時刻取得部２０（図５参照）は、第１ネットワーク通信部１２（図５参照）により、ネットワーク６０を介して携帯端末３０ｃの第２計時部３３の計時時刻データを取得する（第２計時時刻取得処理）。
【０１００】
具体的には、第２計時時刻取得部２０は、携帯端末３０ｃに対して第２計時部３３の計時時刻のデータ（第２計時部３３の現在時刻のデータ）の送信を要求する第４時刻要求データを、第１ネットワーク通信部１２により、ネットワーク６０を介して携帯端末３０ｃに送信する。そして、この第４時刻要求データを受信した携帯端末３０ｃから、ネットワーク６０を介して送信される第４計時時刻データを、第１ネットワーク通信部１２により受信する。
【０１０１】
第４補正値算出部２１は、第４時刻要求データを携帯端末３０ｃに送信した時点における第１計時部１４の時刻である第４要求送信時刻ＴＩＭ４１と、携帯端末３０ｃから第４計時時刻データを受信した時点における第１計時部１４の計時時刻である第４応答受信時刻ＴＩＭ４２とを認識する。
【０１０２】
そして、第４補正値算出部２１は、第４要求送信時刻ＴＩＭ４１から第４応答受信時刻ＴＩＭ４２までの間の中間時刻ＴＩＭ４３（＝ＴＩＭ４１＋（ＴＩＭ４２−ＴＩＭ４１）／２）と、第４計時時刻データが示す時刻（第２計時部３３の計時時刻）ＴＩＭ２との時間差ΔＴ１２ｂ（＝ＴＩＭ４３−ＴＩＭ２）を算出する。
【０１０３】
第４補正値算出部２１は、時間差ΔＴ１２ｂに基づいて、第１計時部１４の計時時刻ＴＩＭ１を、第２計時部３３の計時時刻ＴＩＭ２に変換するための第４補正値Ｋ１２ｂを算出する。ここで、第４補正値算出部２１は、第２計時時刻取得処理により第４計時時刻データ（第２計時部３３の計時時刻データ）を受信して、第４要求送信時刻ＴＩＭ４１から第４応答受信時刻ＴＩＭ４２までの間の中間時刻ＴＩＭ４３と、第４計時時刻データが示す時刻ＴＩＭ２との時間差ΔＴ１２ｂを算出する処理を複数回実行する。そして、第４補正値算出部２１は、得られた複数の時間差ΔＴ１２ｂの平均値を、第４補正値Ｋ１２ｂとして算出する。
【０１０４】
ここで、テレビ１０ｃと携帯端末３０ｃとの通信状況が良好で、通信遅延時間が短い状態であるときには、第４要求送信時刻ＴＩＭ４１及び第４計時時刻データが示す時刻ＴＩＭ２の差（第４往き通信時間）Ｔｇ４と、第４応答受信時刻ＴＩＭ４２及び第４計時時刻データが示す時刻ＴＩＭ２の差（第４戻り通信時間）Ｔｂ４との差ΔＴｇｂ４が小さくなる。
【０１０５】
そこで、算出された複数の時間差Δ１２ｂのうち、対応する（算出時の）第４往き通信時間Ｔｇ４と第４戻り通信時間Ｔｂ４との差ΔＴｇｂ４が短時間であるものを、優先的に選択して平均値を求めることにより、精度の良い第４補正値Ｋ１２ｂを求めることができる。時間差ΔＴ１２ｂの選択は、上述した第１補正値算出部１５による第１補正値Ｋ１ｓの算出手順と同様に行えばよい。
【０１０６】
イベント発生伝達部１７ｃは、以下の式（５）により、イベント発生第１時刻ＩＶｔ１を第２計時部３３の計時時刻に補正したイベント発生第２時刻ＩＶｔ２を算出する。
【０１０７】
ＩＶｔ２＝ＩＶｔ１−Ｋ１２ｂ  ・・・・・（５）
但し、ＩＶｔ２：イベント発生第２時刻、ＩＶｔ１：イベント発生第１時刻、Ｋ１２ｂ：第４補正値。
【０１０８】
そして、イベント発生伝達部１７ｃは、イベント発生第２時刻ＩＶｔ２のデータを含むイベント発生報知データＩＶｉｎｆｃを、第１ネットワーク通信部１２により、ネットワーク６０を介して携帯端末３０ｃに送信する。
【０１０９】
次に、携帯端末３０ｃ側の処理について説明する。イベント発生第２時刻認識部３５ｃは、第２ネットワーク通信部３１（図５参照）により、ネットワーク６０を介して、テレビ１０ｃからイベント発生報知データＩＶｉｎｆｃを受信した時に、イベント発生報知データＩＶｉｎｆｃに含まれるデータからイベント発生第２時刻ＩＶｔ２を認識する。
【０１１０】
このようにして、携帯端末３０ｃ側で、イベント発生第２時刻ＩＶｔ２を認識することにより、上述した第１実施形態及び第２実施形態と同様に、携帯端末３０ｃにおいて、第２ディスプレイ３７に前記事前報知表示及び前記歌唱開始表示がなされる時点を、テレビ１０ｃの第１ディスプレイ１９に歌手Ａの歌唱の表示が開始される時点に同期させることができる。また、歌唱レベル評価部３８は、歌手Ａの歌唱開始時点に同期して、使用者の歌唱力の評価を開始することができる。
【０１１１】
［４．他の実施形態］
上述した第１実施形態から第３実施形態においては、本発明のイベントが特定の歌手による歌唱であり、携帯端末におけるこのイベントに応じた表示が、使用者に歌唱を促すものである例を示したが、他のイベントとしては以下のものがあげられる。
【０１１２】
（４−１）テレビに表示されるイベントが商品やサービスのコマーシャルであり、イベントに応じた携帯端末の表示が、商品やサービスの補足或いは追加情報である場合。コマーシャルの放送時間は短時間（１５秒等）であり、この短時間内に制限して携帯端末の表示を制御する上で、テレビと携帯端末のローカル時刻（テレビと携帯端末で個別に計時されている時刻）を同期させる処理が有効である。
【０１１３】
（４−２）テレビに表示されるイベントがクイズ番組であり、イベントに応じた携帯端末の表示が、クイズ問題に対する回答の受付である場合。早押クイズに対応して、回答の受付の締め切りを正確に行う上で、テレビと携帯端末のローカル時刻を同期させる処理が有効である。
【０１１４】
（４−３）テレビに表示されるイベントがゲームであり、イベントに応じた携帯端末の表示が、ゲームを進めるための携帯端末の操作（フリック操作等）である場合。テレビのディスプレイに表示されているゲーム画像と、使用者による携帯端末の操作との一体感を生じさせるために、テレビと携帯端末のローカル時刻を同期させることが有効である。
【０１１５】
なお、前記第１実施形態から第３実施形態では、本発明の第１表示装置としてテレビ１０ａ〜１０ｃを示し、本発明の第２表示装置として携帯端末３０ａ〜３０ｃを示したが、ネットワーク通信機能と表示機能を有する表示装置であれば、第１表示装置及び第２表示装置として、本発明を適用することができる。
【０１１６】
また、第１補正値Ｋ１ｓ、第２補正値Ｋ２ｓ、第３補正値Ｋ１２ａ、第４補正値Ｋ１２ｂの算出は、イベントの発生の直前に行うことが好ましい。
【０１１７】
また、前記第１実施形態から第２実施形態では、携帯端末３０（３０ａ，３０ｂ，３０ｃ）側で、イベント発生第２時刻ＩＶｔ２−βを、前記事前報知表示を行う時刻（イベント発生第２時刻ＩＶt2−β）を設定したが、テレビ１０（１０ａ，１０ｂ，１０ｃ）側で、前記事前報知表示を行う時刻をイベント発生時刻として設定してもよい。
【符号の説明】
【０１１８】
１０（１０ａ，１０ｂ，１０ｃ）…テレビ、１１…放送受信部、１２…第１ネットワーク通信部、１３…第１共通時刻取得部、１４…第１計時部、１５…第１補正値算出部、１６…イベント発生第１時刻認識部、１７（１７ａ，１７ｂ，１７ｃ）…イベント発生伝達部、１８…第１表示制御部、１９…第１ディスプレイ、２０…第２計時時刻取得部、２１…第４補正値算出部、３０（３０ａ，３０ｂ，３０ｃ）…携帯端末、３１…第２ネットワーク通信部、３２…第２共通時刻取得部、３３…第２計時部、３４…第２補正値算出部、３５（３５ａ，３５ｂ，３５ｃ）…イベント発生第２時刻認識部、３６…第２表示制御部、３７…第２ディスプレイ、３８…歌唱レベル評価部、３９…マイク、６０…ネットワーク、７０…標準時サーバ。
【図１】
2014236501.tif 000003
【図２】
2014236501.tif 000004
【図３】
2014236501.tif 000005
【図４】
2014236501.tif 000006
【図５】
2014236501.tif 000007
【図６】
2014236501.tif 000008